(57)【特許請求の範囲】
【請求項１】
給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われず追い焚きのみを行う追い焚き単独運転中に上記給湯熱交換器湯温検出手段により検出される給湯熱交換器の湯温がオフ温度以上になったときにはバーナーの燃焼を停止させ、上記給湯熱交換器の湯温が上記オフ温度よりも低めのオン温度以下になったときにはバーナーの燃焼を再開させる追い焚き単独運転燃焼制御機能とを備えた一缶二水路風呂給湯器であって、前記追い焚き循環通路を循環する湯水の流量を検出する循環湯水流量検出手段が設けられており、該循環湯水流量検出手段により検出される追い焚き循環通路の湯水循環流量が多くなるに従って前記オフ温度を連続的に又は段階的に高める方向に可変設定するためのオフ温度可変制御データが予め与えられ、前記循環湯水流量検出手段により検出される追い焚き循環通路の湯水循環流量と上記オフ温度可変制御データに基づきオフ温度を可変設定する温度データ可変設定部が設けられていることを特徴とする一缶二水路風呂給湯器。
【請求項２】
給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われず追い焚きのみを行う追い焚き単独運転中に上記給湯熱交換器湯温検出手段により検出される給湯熱交換器の湯温がオフ温度以上になったときにはバーナーの燃焼能力を低下させ、上記給湯熱交換器の湯温が上記オフ温度よりも低めのオン温度以下になったときにはバーナーの燃焼能力を増加させる追い焚き単独運転燃焼制御機能とを備えた一缶二水路風呂給湯器であって、前記追い焚き循環通路を循環する湯水の流量を検出する循環湯水流量検出手段が設けられており、該循環湯水流量検出手段により検出される追い焚き循環通路の湯水循環流量が多くなるに従って前記オフ温度を連続的に又は段階的に高める方向に可変設定するためのオフ温度可変制御データが予め与えられ、前記循環通路湯水流量検出手段により検出される追い焚き循環通路の湯水循環流量と上記オフ温度可変制御データに基づきオフ温度を可変設定する温度データ可変設定部が設けられていることを特徴とする一缶二水路風呂給湯器。
【請求項３】
オフ温度可変制御データは循環湯水流量検出手段により検出される追い焚き循環通路の湯水循環流量をパラメータとしてオフ温度を算出するための演算式により構成されており、温度データ可変設定部は循環湯水流量検出手段により検出される追い焚き循環通路の湯水循環流量と上記オフ温度可変制御データとに基づきオフ温度を自動的に演算算出する構成としたことを特徴とする請求項１又は請求項２記載の一缶二水路風呂給湯器。
【請求項４】
オフ温度可変制御データと、循環湯水流量検出手段により検出される追い焚き循環通路の湯水循環流量が多くなるに従ってオン温度を連続的又は段階的に高める方向に可変設定するためのオン温度可変制御データとが予め与えられ、温度データ可変設定部は循環湯水流量検出手段により検出される追い焚き循環通路の湯水循環流量と上記オン温度可変制御データと上記オフ温度可変制御データに基づきオン温度とオフ温度を可変設定する構成としたことを特徴とする請求項１又は請求項２又は請求項３記載の一缶二水路風呂給湯器。
【請求項５】
オン温度可変制御データは循環湯水流量検出手段により検出される追い焚き循環通路の湯水循環流量をパラメータとしてオン温度を算出するための演算式により構成され、また、オフ温度可変制御データは前記追い焚き循環通路の湯水循環流量をパラメータとしてオフ温度を算出するための演算式により構成されており、循環湯水流量検出手段により検出される追い焚き循環通路の湯水循環流量と上記オン温度可変制御データと上記オフ温度可変制御データに基づきオン温度とオフ温度を自動的に演算算出するオン・オフ温度検出部が設けられていることを特徴とする請求項４記載の一缶二水路風呂給湯器。
【請求項６】
給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われず追い焚きのみを行う追い焚き単独運転中に上記給湯熱交換器湯温検出手段により検出される給湯熱交換器の湯温がオフ温度以上になったときにはバーナーの燃焼を停止させ、上記給湯熱交換器の湯温が上記オフ温度よりも低めのオン温度以下になったときにはバーナーの燃焼を再開させる追い焚き単独運転燃焼制御機能とを備えた一缶二水路風呂給湯器であって、前記追い焚き循環通路を循環する湯水の流量を検出する循環湯水流量検出手段が設けられており、該循環湯水流量検出手段により検出される追い焚き循環通路の湯水循環流量が多くなるに従って前記オン温度を連続的に又は段階的に高める方向に可変設定するためのオン温度可変制御データが予め与えられ、前記循環湯水流量検出手段により検出される追い焚き循環通路の湯水循環流量と上記オン温度可変制御データに基づきオン温度を可変設定する温度データ可変設定部が設けられていることを特徴とする一缶二水路風呂給湯器。
【請求項７】
給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われず追い焚きのみを行う追い焚き単独運転中に上記給湯熱交換器湯温検出手段により検出される給湯熱交換器の湯温がオフ温度以上になったときにはバーナーの燃焼能力を低下させ、上記給湯熱交換器の湯温が上記オフ温度よりも低めのオン温度以下になったときにはバーナーの燃焼能力を増加させる追い焚き単独運転燃焼制御機能とを備えた一缶二水路風呂給湯器であって、前記追い焚き循環通路を循環する湯水の流量を検出する循環湯水流量検出手段が設けられており、該循環湯水流量検出手段により検出される追い焚き循環通路の湯水循環流量が多くなるに従って前記オン温度を連続的に又は段階的に高める方向に可変設定するためのオン温度可変制御データが予め与えられ、前記循環湯水流量検出手段により検出される追い焚き循環通路の湯水循環流量と上記オン温度可変制御データに基づきオン温度を可変設定する温度データ可変設定部が設けられていることを特徴とする一缶二水路風呂給湯器。
【請求項８】
オン温度可変制御データは循環湯水流量検出手段により検出される追い焚き循環通路の湯水循環流量をパラメータとしてオン温度を算出するための演算式により構成されており、温度データ可変設定部は循環湯水流量検出手段により検出される追い焚き循環通路の湯水循環流量と上記オン温度可変制御データとに基づきオン温度を自動的に演算算出する構成としたことを特徴とする請求項６又は請求項７記載の一缶二水路風呂給湯器。
【請求項９】
追い焚き循環通路の湯水温を検出する循環通路湯水温度検出手段を有し、オフ温度可変制御データは、循環湯水流量検出手段により検出される追い焚き循環通路の湯水循環流量と循環通路湯水温度検出手段により検出される追い焚き通路の湯水温とをパラメータとしたオフ温度設定データによって与えられ、温度データ可変設定部は前記循環流量検出手段により検出される追い焚き循環通路の湯水循環流量と前記循環通路湯水温度検出手段により検出される追い焚き循環通路の湯水温と上記オフ温度設定データとに基づきオフ温度を可変設定する構成としたことを特徴とする請求項１乃至請求項５のいずれか１つに記載の一缶二水路風呂給湯器。
【請求項１０】
追い焚き循環通路の湯水温を検出する循環通路湯水温度検出手段を有し、オン温度可変制御データは、循環湯水流量検出手段により検出される追い焚き循環通路の湯水循環流量と循環通路湯水温度検出手段により検出される追い焚き通路の湯水温とをパラメータとしたオン温度設定データによって与えられ、温度データ可変設定部は前記循環流量検出手段により検出される追い焚き循環通路の湯水循環流量と前記循環通路湯水温度検出手段により検出される追い焚き循環通路の湯水温と上記オン温度設定データとに基づきオン温度を可変設定する構成としたことを特徴とする請求項４乃至請求項８のいずれか１つに記載の一缶二水路風呂給湯器。
【請求項１１】
追い焚き循環通路の湯水温を検出する循環通路湯水温度検出手段を有し、オフ温度可変制御データは、循環湯水流量検出手段により検出される追い焚き循環通路の湯水循環流量と循環通路湯水温度検出手段により検出される追い焚き通路の湯水温とをパラメータとしたオフ温度設定データによって与えられ、オン温度可変制御データは、循環湯水流量検出手段により検出される追い焚き循環通路の湯水循環流量と循環通路湯水温度検出手段により検出される追い焚き通路の湯水温とをパラメータとしたオン温度設定データによって与えられ、温度データ可変設定部は前記循環流量検出手段により検出される追い焚き循環通路の湯水循環流量と前記循環通路湯水温度検出手段により検出される追い焚き循環通路の湯水温と上記オフ温度設定データとオン温度設定データとに基づきオフ温度とオン温度を可変設定する構成としたことを特徴とする請求項４又は請求項５記載の一缶二水路風呂給湯器。
【発明の詳細な説明】
【０００１】
【発明の属する技術分野】
本発明は、給湯熱交換器と追い焚き熱交換器が一体化され、その一体化した熱交換器を共通のバーナーで加熱する一缶二水路風呂給湯器に関するものである。
【０００２】
【従来の技術】
図９には出願人らが開発している一缶二水路風呂給湯器のシステム構成例が示されている。同図において、この一缶二水路風呂給湯器（器具）は燃焼室１を有し、この燃焼室１にはバーナー２が配設され、このバーナー２の上方には給湯熱交換器３と追い焚き熱交換器４が設けられている。これら給湯熱交換器３と追い焚き熱交換器４は一体化されて配設されている。すなわち、複数の共通のフィンプレート５に給湯側の管路を貫通装着して給湯熱交換器３と成し、同じくフィンプレート５に追い焚き側の管路を貫通装着して追い焚き熱交換器４と成しており、上記バーナー２は給湯熱交換器３と追い焚き熱交換器４を共に加熱する構成になっている。
【０００３】
上記バーナー２の下方側の燃焼室１は給気通路６に連通され、この給気通路６には燃焼ファン７が組み込まれており、燃焼ファン７の回転駆動により外部から給気通路６を介してバーナー２へ空気が送り込まれると共に、バーナー２の燃焼により生じた排気ガスがバーナー２の上方の燃焼室１に連通する排気通路９から外部へ排出される。
【０００４】
上記バーナー２のガス導入口にはガスノズル１９が対向配設され、このガスノズル１９には燃料ガスを導入するためのガス供給通路８が接続されており、このガス供給通路８により導かれた燃料ガスはガスノズル１９を介してバーナー２に供給される。また、上記ガス供給通路８には通路の開閉を行う電磁弁１０，１１ａ，１１ｂと、ガスの供給量を開弁量により制御する比例弁１２とが介設されている。
【０００５】
前記給湯熱交換器３の入側には給水通路１３の一端側が接続され、給湯熱交換器３の出側には給湯通路１４の一端側が接続されており、上記給水通路１３の他端側は外部配管を介して水供給源に接続され、前記給湯通路１４の他端側は外部配管を介して台所等の所望の給湯場所に導かれている。また、上記給湯熱交換器３の入側の給水通路１３と出側の給湯通路１４を短絡するバイパス通路１５が設けられており、上記バイパス通路１５には通路の開閉を行うバイパス弁１６が介設されている。
【０００６】
前記追い焚き熱交換器４の入側には管路１８の一端側が接続され、この管路１８の他端側は循環ポンプ２０の吐出口に接続されており、循環ポンプ２０の吸入口には戻り管２１の一端側が接続され、戻り管２１の他端側は浴槽２２に連接されている。また、追い焚き熱交換器４の出側には管路２３の一端側が接続されており、この管路２３の他端側は前記浴槽２２に連接されている。上記戻り管２１と循環ポンプ２０と管路１８と追い焚き熱交換器４と管路２３により追い焚き循環通路２４が構成される。
【０００７】
上記追い焚き循環通路２４の管路１８と前記給湯通路１４は湯張り通路２５により連通されており、この湯張り通路２５には通路の開閉を制御する注湯制御弁２６と、浴槽２２の水位を検出する水位センサ２８とが設けられている。
【０００８】
なお、図中に示す３０は燃焼室１内の風量を検出する風量センサであり、３１は給水通路１３に設けられて給水の流量を検出する水量センサであり、３２は給水通路１３の水の温度を検出する入水温度センサであり、３４は給湯通路１４に設けられて通水流量を制御する流量制御弁であり、３５は給湯通路１４に設けられて給湯が行われていることを水流により検出する給湯確認スイッチであり、３６は追い焚き循環通路２４の水流の有無を検出する流水スイッチであり、３７は追い焚き循環通路２４の湯水を浴槽湯水の温度（風呂温度）として検出する循環通路湯水温度検出手段である風呂温度センサであり、３８は給湯熱交換器３で作り出された湯の温度を検出する出湯温度センサである。
【０００９】
この一缶二水路風呂給湯器には制御装置４０が設けられており、この制御装置４０にはリモコン４１が接続されている。このリモコン４１には給湯温度を設定するための給湯温度設定手段や、浴槽２２の風呂の温度を設定する風呂温度設定手段や、浴槽２２の湯水の水位を設定する風呂水位設定手段等が設けられている。
【００１０】
上記制御装置４０は各種センサのセンサ出力信号やリモコン４１の情報を取り込み、それら情報と予め与えられているシーケンスプログラムに従って、給湯運転や、湯張り運転や、追い焚き運転等の各種の器具運転の動作を次のように制御する。
【００１１】
例えば、台所等に導かれた給湯通路の水栓が開けられ、水供給源から給水通路１３に水が流れ込んで水量センサ３１が給水通路１３の通水を検出すると、器具は給湯運転を開始する。まず、燃焼ファン７の回転駆動を開始させ、電磁弁１１ａ，１１ｂの両方又はどちらか一方と電磁弁１０を開動作させガス供給通路８を通してバーナー２に燃料ガスを供給し、図示されていない点着火手段によりバーナー２の点着火を行い燃焼を開始させる。
【００１２】
そして、給湯湯温が前記給湯温度設定手段に設定されている給湯設定温度となるように比例弁１２の開弁量を制御して（バーナー２への供給ガス量を制御して）バーナー２の燃焼能力を制御し、給湯熱交換器３の通水をバーナー２の燃焼火炎により加熱して設定温度の湯を作り出し、この湯を給湯通路１４を通して給湯場所に供給する。
【００１３】
湯の使用が終了して水栓が閉められると、給湯熱交換器３への通水が停止し、水量センサ３１が給水通路１３の通水を検知しなくなったときに、電磁弁１０を閉じてバーナー２の燃焼を停止させる。その後、予め定められたポストパージ期間（例えば、５分間）が経過したときに、燃焼ファン７の回転駆動を停止して給湯運転を終了し次の給湯に備える。
【００１４】
湯張り運転を行うときには、例えば、注湯制御弁２６を開弁し、この注湯制御弁２６の開弁動作により水供給源から給水通路１３に水が流れ込んで水量センサ３１が給水通路１３の通水を検知すると、上記給湯運転と同様にバーナー２の燃焼を開始させる。
【００１５】
このバーナー２の燃焼火炎により給湯熱交換器３で作り出された湯は給湯通路１４と湯張り通路２５を順に介して追い焚き循環通路２４に送り込まれ、追い焚き循環通路２４に流れ込んだ湯は戻り管２１を通る経路と追い焚き熱交換器４を通る経路との２経路で浴槽２２に落とし込まれる。そして、水位センサ２８が検出する浴槽２２の水位がリモコン４１に設定されている設定水位に達したときに、注湯制御弁２６を閉じ、電磁弁１０を閉じてバーナー２の燃焼を停止させ、湯張り運転を終了する。
【００１６】
追い焚き運転を行うときには、循環ポンプ２０を駆動させて浴槽２２内の湯水を追い焚き循環通路２４を通して循環させると共に、バーナー２の燃焼を開始させ、バーナー２の燃焼火炎により追い焚き熱交換器４の循環湯水を加熱して追い焚きを行う。そして、風呂温度センサ３７により検出される風呂温度が前記風呂温度設定手段により設定されている設定温度に達したときに、バーナー２の燃焼を停止させ、追い焚き運転を終了する。
【００１７】
前記の如く、一缶二水路風呂給湯器は、一体化された給湯熱交換器３と追い焚き熱交換器４を共通のバーナー２を用いて加熱する方式であるので、別体に設けられた給湯熱交換器と追い焚き熱交換器をそれぞれ別個のバーナーを用いて燃焼加熱する方式に比べて、装置構成の簡易化が図れ、これに伴い、装置の小型化とコストの低減が図れることになる。
【００１８】
【発明が解決しようとする課題】
ところで、追い焚き運転が行われるときには、給湯熱交換器３の水管をバーナー２の燃焼火炎によって加熱し、この給湯熱交換器３の水管内の水を熱媒体として該給湯熱交換器３に接している追い焚き熱交換器４の水管を加熱し追い焚き熱交換器４内の循環湯水を加熱しており、また、一缶二水路風呂給湯器が給湯運転を行わず追い焚き運転のみの追い焚き単独運転を行っているときには、給湯熱交換器３内に湯水が滞留している状態にあるので、追い焚き運転によるバーナー２の燃焼火炎によって給湯熱交換器３内の滞留湯水の温度が上昇し非常に高温になる。
【００１９】
このため、追い焚き単独運転中や追い焚き単独運転終了直後等に給湯が開始されると、上記追い焚き単独運転に起因して高温に加熱された給湯熱交換器３内の湯が出湯し、湯の使用者に高温出湯による不快感を与えてしまったり、高温の湯によって湯の使用者に火傷を負わせてしまうといった重大な問題を生じる虞がある。
【００２０】
そこで、上記問題を回避する手段として、例えば、バイパス弁１６を開弁し、追い焚き単独運転中や追い焚き単独運転停止直後に出湯が行われるときには、給湯熱交換器３から流れ出た高温の湯にバイパス通路１５から水を加え給湯通路１４の湯温を下げて上記高温出湯の問題を回避する手段が提案されている。
【００２１】
しかしながら、追い焚き単独運転に起因して給湯熱交換器３の滞留湯水が沸騰に近い状態（例えば、滞留湯温が９０℃よりも高温の状態）である場合には、上記給湯熱交換器３の湯にバイパス通路１５の水を加えても前記高温出湯を防止できるまで湯温が下がらず給湯設定温度よりもかなり高温の湯が出湯し、上記高温出湯の問題を回避することができない場合がある。
【００２２】
そこで、追い焚き単独運転中に給湯熱交換器３の滞留湯水が沸騰に近い状態になるのを防止する手段を本出願人らは提案している。例えば、給湯熱交換器３の出側の温度を検出する給湯熱交換器湯温検出手段である図９の鎖線に示す給湯熱交湯温センサ３３を給湯熱交換器３の出側の給湯通路１４に設け、また、オフ温度と該オフ温度よりも低めのオン温度とを予め与えておき、例えば、図１０に示すように、追い焚き単独運転中に給湯熱交湯温センサ３３により検出される給湯熱交換器３の湯温が上記オフ温度以上に高くなったときにバーナー２の燃焼を停止し、給湯熱交換器３の湯温が上記オン温度以下に低下したときにはバーナー２の燃焼を再開させるというバーナー２のオン・オフ燃焼制御を行う。
【００２３】
上記追い焚き単独運転中のバーナー２の燃焼停止期間にはバーナー２の燃焼停止によって給湯熱交換器３の滞留湯の燃焼加熱が停止する上に、燃焼停止後に引き続き循環ポンプ２０が駆動され、追い焚き循環通路２４の湯水が滞留湯の熱量を奪い、また、の燃焼ファン７の継続駆動による燃焼室１の給気通風が給湯熱交換器３の滞留湯の熱量を奪っていくので、給湯熱交換器３の滞留湯温が低下する。
【００２４】
このことから、給湯熱交換器３の滞留湯水が沸騰に近い状態になりそうになったら、バーナー２の燃焼を停止し、上記のように給湯熱交換器３の滞留湯水温を低下させることによって、給湯熱交換器３の滞留湯が沸騰に近い状態になるのを防止することができ、前記追い焚き単独運転に起因した高温出湯を回避することができる。
【００２５】
しかしながら、前記の如く、一缶二水路風呂給湯器では、追い焚き循環通路２４の追い焚き熱交換器４と給湯熱交換器３とは一体化されているので、追い焚き単独運転中に追い焚き循環通路２４を循環する循環湯水は、燃焼火炎により高温に加熱された給湯熱交換器３の滞留湯から熱量を奪う。追い焚き循環通路２４の循環湯水が給湯熱交換器３の滞留湯から奪う熱量は、追い焚き循環通路２４の湯水循環流量が多くなるに従って多くなる。
【００２６】
そのため、追い焚き循環通路２４の湯水循環流量が多いときには、前記オフ温度で給湯熱交換器３の滞留湯の燃焼加熱が停止した後に生じる後沸き現象によるオーバーシュート量が少ないので、給湯熱交換器３の湯温がオフ温度に達した以降に生じる給湯熱交換器３の湯温上昇量が少なく、給湯熱交換器３の湯温のピーク温度上昇量は低くなる。したがって、前記オン温度とオフ温度をそれほど低くしておかなくても、前記追い焚き単独運転に起因する給湯側の高温出湯のおそれがないにもかかわらず、前記オン温度とオフ温度を一定に固定設定しておくと、必要以上にバーナー２の燃焼停止期間を長くすることになり、浴槽２２の湯を設定温度まで高めるのに要する風呂の沸きあがり時間が長くなってしまう。
【００２７】
また、その逆に、例えば、循環ポンプ２０の劣化、追い焚き循環通路２４の配管詰まりなどのさまざまな原因によって、追い焚き循環通路２４の湯水循環流量が少ないときには、給湯熱交換器３の滞留湯から追い焚き循環通路２４の循環湯水が奪う熱量が少ないために、前記オン温度とオフ温度を一定にしておくと、給湯熱交換器３側の管内温度が上がってしまい、このとき、給湯側で出湯が行われると、高温出湯となってしまうおそれがある。
【００２８】
本発明は上記課題を解決するためになされたものであり、その目的は、追い焚き単独運転中にバーナーのオン・オフ燃焼運転を行って追い焚き単独運転に起因した給湯側の高温出湯を防止でき、しかも、風呂の沸き上がり時間の短縮を図ることができる一缶二水路風呂給湯器を提供することにある。
【００２９】
【課題を解決するための手段】
上記目的を達成するためにこの発明は次のような構成をもって前記課題を解決する手段としている。すなわち、第１の発明は、給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われず追い焚きのみを行う追い焚き単独運転中に上記給湯熱交換器湯温検出手段により検出される給湯熱交換器の湯温がオフ温度以上になったときにはバーナーの燃焼を停止させ、上記給湯熱交換器の湯温が上記オフ温度よりも低めのオン温度以下になったときにはバーナーの燃焼を再開させる追い焚き単独運転燃焼制御機能とを備えた一缶二水路風呂給湯器であって、前記追い焚き循環通路を循環する湯水の流量を検出する循環湯水流量検出手段が設けられており、該循環湯水流量検出手段により検出される追い焚き循環通路の湯水循環流量が多くなるに従って前記オフ温度を連続的に又は段階的に高める方向に可変設定するためのオフ温度可変制御データが予め与えられ、前記循環湯水流量検出手段により検出される追い焚き循環通路の湯水循環流量と上記オフ温度可変制御データに基づきオフ温度を可変設定する温度データ可変設定部が設けられている構成をもって前記課題を解決する手段としている。
【００３０】
第２の発明は、給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われず追い焚きのみを行う追い焚き単独運転中に上記給湯熱交換器湯温検出手段により検出される給湯熱交換器の湯温がオフ温度以上になったときにはバーナーの燃焼能力を低下させ、上記給湯熱交換器の湯温が上記オフ温度よりも低めのオン温度以下になったときにはバーナーの燃焼能力を増加させる追い焚き単独運転燃焼制御機能とを備えた一缶二水路風呂給湯器であって、前記追い焚き循環通路を循環する湯水の流量を検出する循環湯水流量検出手段が設けられており、該循環湯水流量検出手段により検出される追い焚き循環通路の湯水循環流量が多くなるに従って前記オフ温度を連続的に又は段階的に高める方向に可変設定するためのオフ温度可変制御データが予め与えられ、前記循環通路湯水流量検出手段により検出される追い焚き循環通路の湯水循環流量と上記オフ温度可変制御データに基づきオフ温度を可変設定する温度データ可変設定部が設けられている構成をもって前記課題を解決する手段としている。
【００３１】
第３の発明は、上記第１又は第２の発明を構成するオフ温度可変制御データは、循環湯水流量検出手段により検出される追い焚き循環通路の湯水循環流量をパラメータとしてオフ温度を算出するための演算式により構成されており、温度データ可変設定部は循環湯水流量検出手段により検出される追い焚き循環通路の湯水循環流量と上記オフ温度可変制御データとに基づきオフ温度を自動的に演算算出する構成をもって前記課題を解決する手段としている。
【００３２】
第４の発明は、上記第１又は第２又は第３の発明に示すオフ温度可変制御データと、循環湯水流量検出手段により検出される追い焚き循環通路の湯水循環流量が多くなるに従ってオン温度を連続的又は段階的に高める方向に可変設定するためのオン温度可変制御データとが予め与えられ、温度データ可変設定部は循環湯水流量検出手段により検出される追い焚き循環通路の湯水循環流量と上記オン温度可変制御データと上記オフ温度可変制御データに基づきオン温度とオフ温度を可変設定する構成をもって前記課題を解決する手段としている。
【００３３】
第５の発明は、上記第４の発明の構成に加えて、オン温度可変制御データは循環湯水流量検出手段により検出される追い焚き循環通路の湯水循環流量をパラメータとしてオン温度を算出するための演算式により構成され、また、オフ温度可変制御データは前記追い焚き循環通路の湯水循環流量をパラメータとしてオフ温度を算出するための演算式により構成されており、循環湯水流量検出手段により検出される追い焚き循環通路の湯水循環流量と上記オン温度可変制御データと上記オフ温度可変制御データに基づきオン温度とオフ温度を自動的に演算算出するオン・オフ温度検出部が設けられている構成をもって前記課題を解決する手段としている。
【００３４】
第６の発明は、給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われず追い焚きのみを行う追い焚き単独運転中に上記給湯熱交換器湯温検出手段により検出される給湯熱交換器の湯温がオフ温度以上になったときにはバーナーの燃焼を停止させ、上記給湯熱交換器の湯温が上記オフ温度よりも低めのオン温度以下になったときにはバーナーの燃焼を再開させる追い焚き単独運転燃焼制御機能とを備えた一缶二水路風呂給湯器であって、前記追い焚き循環通路を循環する湯水の流量を検出する循環湯水流量検出手段が設けられており、該循環湯水流量検出手段により検出される追い焚き循環通路の湯水循環流量が多くなるに従って前記オン温度を連続的に又は段階的に高める方向に可変設定するためのオン温度可変制御データが予め与えられ、前記循環湯水流量検出手段により検出される追い焚き循環通路の湯水循環流量と上記オン温度可変制御データに基づきオン温度を可変設定する温度データ可変設定部が設けられている構成をもって前記課題を解決する手段としている。
【００３５】
第７の発明は、給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われず追い焚きのみを行う追い焚き単独運転中に上記給湯熱交換器湯温検出手段により検出される給湯熱交換器の湯温がオフ温度以上になったときにはバーナーの燃焼能力を低下させ、上記給湯熱交換器の湯温が上記オフ温度よりも低めのオン温度以下になったときにはバーナーの燃焼能力を増加させる追い焚き単独運転燃焼制御機能とを備えた一缶二水路風呂給湯器であって、前記追い焚き循環通路を循環する湯水の流量を検出する循環湯水流量検出手段が設けられており、該循環湯水流量検出手段により検出される追い焚き循環通路の湯水循環流量が多くなるに従って前記オン温度を連続的に又は段階的に高める方向に可変設定するためのオン温度可変制御データが予め与えられ、前記循環湯水流量検出手段により検出される追い焚き循環通路の湯水循環流量と上記オン温度可変制御データに基づきオン温度を可変設定する温度データ可変設定部が設けられている構成をもって前記課題を解決する手段としている。
【００３６】
第８の発明は、上記第６または第７の発明を構成する。次にオン温度可変制御データは循環湯水流量検出手段により検出される追い焚き循環通路の湯水循環流量をパラメータとしてオン温度を算出するための演算式により構成されており、温度データ可変設定部は循環湯水流量検出手段により検出される追い焚き循環通路の湯水循環流量と上記オン温度可変制御データとに基づきオン温度を自動的に演算算出する構成をもって前記課題を解決する手段としている。
【００３７】
第９の発明は、追い焚き循環通路の湯水温を検出する循環通路湯水温度検出手段を有し、上記第１ないし第５のいずれか一つの発明に示すオフ温度可変制御データは、循環湯水流量検出手段により検出される追い焚き循環通路の湯水循環流量と循環通路湯水温度検出手段により検出される追い焚き通路の湯水温とをパラメータとしたオフ温度設定データによって与えられ、温度データ可変設定部は前記循環流量検出手段により検出される追い焚き循環通路の湯水循環流量と前記手段により検出される追い焚き循環通路の湯水温と上記オフ温度設定データとに基づきオフ温度を可変設定する構成をもって前記課題を解決する手段としている。
【００３８】
第１０の発明は、追い焚き循環通路の湯水温を検出する循環通路湯水温度検出手段を有し、上記第４ないし第８のいずれか一つの発明に示すオン温度可変制御データは、循環湯水流量検出手段により検出される追い焚き循環通路の湯水循環流量と循環通路湯水温度検出手段により検出される追い焚き通路の湯水温とをパラメータとしたオン温度設定データによって与えられ、温度データ可変設定部は前記循環流量検出手段により検出される追い焚き循環通路の湯水循環流量と前記手段により検出される追い焚き循環通路の湯水温と上記オン温度設定データとに基づきオン温度を可変設定する構成をもって前記課題を解決する手段としている。
【００３９】
第１１の発明は、追い焚き循環通路の湯水温を検出する循環通路湯水温度検出手段を有し、上記第４または第５の発明に示すオフ温度可変制御データは、循環湯水流量検出手段により検出される追い焚き循環通路の湯水循環流量と循環通路湯水温度検出手段により検出される追い焚き通路の湯水温とをパラメータとしたオフ温度設定データによって与えられ、オン温度可変制御データは、循環湯水流量検出手段により検出される追い焚き循環通路の湯水循環流量と循環通路湯水温度検出手段により検出される追い焚き通路の湯水温とをパラメータとしたオン温度設定データによって与えられ、温度データ可変設定部は前記循環流量検出手段により検出される追い焚き循環通路の湯水循環流量と前記手段により検出される追い焚き循環通路の湯水温と上記オフ温度設定データとオン温度設定データとに基づきオフ温度とオン温度を可変設定する構成をもって前記課題を解決する手段としている。
【００４０】
上記構成の本発明において、例えば、温度データ可変設定部は、循環湯水流量検出手段により検出される追い焚き循環通路の湯水循環流量と、予め与えられるオン温度可変制御データおよびオフ温度可変制御データとに基づき、追い焚き循環通路の湯水循環流量が多くなるに従ってオン温度とオフ温度を高める方向に可変設定する。
【００４１】
このように、温度データ可変設定部により設定されるオン温度とオフ温度に基づいて、追い焚き単独運転中にバーナーのオン・オフ燃焼制御が行われることにより、例えば、追い焚き循環通路の湯水循環流量が少ない時には前記オフ温度を低くすることにより、早めに燃焼が停止されて追い焚き単独運転に起因した高温出湯が防止される。また、追い焚き循環通路の湯水循環流量が多い時には、前記オフ温度を高くすることにより、給湯熱交換器の湯温がその分だけ高くなるまでバーナー燃焼を行えるため、追い焚きの効率が高くなる。また、オン温度を高くすることにより、バーナー燃焼が一度停止した後、短時間で再び燃焼が始まるため、同様に、追い焚きの効率が高くなり、したがって、オン温度とオフ温度が追い焚き循環通路の湯水循環流量の変動に拘らず一定である場合よりも、風呂の沸き上がり時間の短縮が図れる。
【００４２】
【発明の実施の形態】
以下に、この発明に係る実施形態例を図面に基づき説明する。
【００４３】
第１の実施形態例の一缶二水路風呂給湯器は図３に示すシステム構成を有し、図１には本実施形態例において特徴的な制御構成が示されている。なお、図３の器具のシステム構成は、図９に示した器具のシステム構成とほぼ同様であり、図３に示す器具においては、図９に示した器具の追い焚き循環通路２４に設けられていた流水スィッチ３６の代わりに、追い焚き循環通路２４を循環する湯水の流量を検出する循環湯水流量検出手段としての循環流量センサ３９を追い焚き循環通路２４に設けて構成されている。図３に示す器具の上記以外のシステム構成の説明は前述したので、その重複説明は省略する。
【００４４】
この実施形態例に示す制御装置４０は、図１に示すように、燃焼制御部４２と追い焚き単独運転監視部４３とデータ格納部４４と追い焚き単独運転燃焼制御部４５と温度データ可変設定部４６を有して構成されている。
【００４５】
燃焼制御部４２には給湯や追い焚き等の様々な運転のシーケンスプログラムが与えられており、燃焼制御部４２は、循環流量センサ３９や風呂温度センサ３７等のセンサ出力やリモコン４１の情報を取り込んで、それら取り込んだ情報と上記シーケンスプログラムに従って器具の運転動作を制御する。
【００４６】
追い焚き単独運転監視部４３は、上記燃焼制御部４２の運転情報を取り込み、該情報に基づき、例えば、循環ポンプ２０の駆動を検知している、又は、循環流量センサ３９が追い焚き循環通路２４の通水を検知している状態で給湯確認スイッチ３５又は水量センサ３１が通水を検知していないときには、器具が追い焚き単独運転をしていると検知し、それ以外のときには器具は追い焚き単独運転をしていないと検知する。
【００４７】
データ格納部４４には、オフ温度と該オフ温度よりも低めのオン温度が予め定められて格納されている。上記オフ温度は、追い焚き単独運転中に給湯熱交換器３のピーク温度領域の滞留湯が沸騰に近い状態であることを示す予め定めた湯温（例えば、９０℃）になったときに給湯熱交湯温センサ３３により検出される湯温である。上記オン温度は、上記オフ温度よりも予め定めた温度（例えば、３℃）分だけ低下させた湯温である。
【００４８】
前記温度データ可変設定部４６は、図１に示すように、自動更新部４７とサンプリング部４８とオン・オフ温度検出部５０とを有して構成されている。
【００４９】
上記サンプリング部４８はサンプリング時間を設定するタイマ（図示せず）を内蔵しており、前記追い焚き単独運転監視部４３の監視情報を取り込み、該取り込んだ情報に基づいて追い焚き単独運転が行われていると検知している間、予め定めたサンプリング時間間隔で循環流量センサ３９のセンサ出力を追い焚き循環通路２４の湯水循環流量として取り込み、このサンプリングした湯水循環流量をオン・オフ温度検出部５０に出力する。
【００５０】
オン・オフ温度検出部５０は上記サンプリング部４８から受け取った検出循環流量を前記データ格納部４４に格納されている次に示すオン温度可変制御データとオフ温度可変制御データに照らし合わせる。
【００５１】
上記オフ温度可変制御データは、追い焚き循環通路２４の湯水循環流量が多くなるに従ってオフ温度を高める方向に可変設定するためのデータであり、追い焚き単独運転中に給湯熱交換器３のピーク温度領域の滞留湯が沸騰に近い状態であることを示す予め定めた湯温（例えば、９０℃）になったときに給湯熱交湯温センサ３３により検出される湯温を追い焚き循環通路２４の湯水循環流量毎に実験や演算等により求め、その求めた湯温をオフ温度として追い焚き循環通路２４の湯水循環流量に対応させた図２の（ａ）の実線Ａや図２の（ｂ）の実線Ｃに示すようなグラフデータや、表データのデータ形式でデータ格納部４４に格納されている。
【００５２】
前記オン温度可変制御データは追い焚き循環通路２４の湯水循環流量が多くなるに従ってオン温度を高める方向に可変設定するためのデータであり、追い焚き循環通路２４の湯水循環流量毎に上記オフ温度可変制御データのオフ温度よりも予め定めた温度だけ低い湯温を求め、この求めた湯温をオン温度として追い焚き循環通路２４の湯水循環流量に対応させた図２の（ａ）の実線Ｂや図２の（ｂ）に示す実線Ｄに示すようなグラフデータや、表データのデータ形式でデータ格納部４４に格納されている。
【００５３】
前記オン・オフ温度検出部５０は、サンプリング部４８から受け取った検出循環流量を、上記オフ温度可変制御データとオン温度可変制御データに照らし合わせ、上記検出循環流量に対応するオフ温度とオン温度をそれぞれ上記オフ温度可変制御データ、オン温度可変制御データから検出する。このようにして得られたオフ温度とオン温度を、オン・オフ温度検出部５０は、自動更新部４７に出力する。
【００５４】
自動更新部４７は、上記オン・オフ温度検出部５０からオフ温度とオン温度を受け取ると、この受け取ったオフ温度とオン温度をデータ格納部４４のオフ温度とオン温度に上書きしオフ温度とオン温度の自動更新を行う。
【００５５】
追い焚き単独運転燃焼制御部４５は、時々刻々と、給湯熱交湯温センサ３３のセンサ出力を給湯熱交換器３の湯温として検出し、また、データ格納部４４のオン温度とオフ温度および追い焚き単独運転監視部４３の監視情報を時々刻々と取り込み、取り込まれた検出給湯熱交換器出側湯温を前記オフ温度に比較し、上記追い焚き単独運転監視部４３の監視情報に基づき追い焚き単独運転中であると検知しているときに、給湯熱交換器３の湯温がオフ温度以上になったと判断したときに、給湯熱交換器３の滞留湯水が沸騰に近い状態になったので給湯熱交換器３の滞留湯水の湯温を低下させるためにバーナー２の燃焼を停止させる必要があると判断し、電磁弁１０を閉弁させバーナー２の燃焼を停止させる。
【００５６】
このバーナー２の燃焼停止中には、前記の如く、バーナー２の燃焼停止によって給湯熱交換器３の燃焼加熱が停止される上に、燃焼ファン７の継続駆動による給気通風によって給湯熱交換器３の滞留湯の熱量が奪われて給湯熱交換器３の滞留湯湯温が低下し、給湯熱交換器３の滞留湯が沸騰に近い状態になるのを回避することができ、追い焚き単独運転に起因した高温出湯を防止することができる。
【００５７】
また、追い焚き単独運転燃焼制御部４５はバーナー燃焼停止信号を燃焼制御部４２に出力する。燃焼制御部４２は上記バーナー燃焼停止信号を受け、バーナー２の燃焼停止が前記追い焚き単独運転に起因した高温出湯を回避するためになされたものであり、器具の異常ではないと判断し、循環ポンプ２０の駆動等の器具運転動作を継続して行う。このため、上記追い焚き単独運転中のバーナー２の停止期間に循環ポンプ２０の駆動は継続し、追い焚き循環通路２４には浴槽湯水が循環しており、追い焚き熱交換器４の保有熱量により追い焚き熱交換器４の通水の加熱が行われる。
【００５８】
さらに、追い焚き単独運転燃焼制御部４５は、追い焚き単独運転中のバーナー２の燃焼停止中にも引き続き給湯熱交湯温センサ３３のセンサ出力と、データ格納部４４のオフ温度およびオン温度との取り込みを行って、給湯熱交湯温センサ３３により検出される給湯熱交換器３の湯温を前記オン温度に比較し、給湯熱交換器３の湯温がオン温度以下に低下したと判断したときに、給湯熱交換器３の滞留湯温が追い焚き単独運転に起因した高温出湯を回避できる湯温に低下したのでバーナー２の燃焼を再開させてもよいと判断し、点着火手段（図示せず）を用いてバーナー２の点着火を行いバーナー２の燃焼を再開させる。
【００５９】
上記のように、追い焚き単独運転燃焼制御部４５は、追い焚き単独運転中に、バーナー２のオン・オフ燃焼制御を行って、給湯熱交換器３の滞留湯が沸騰に近い状態になるのを防止し、追い焚き単独運転に起因した高温出湯を回避することができる。
【００６０】
また、この実施形態例によれば、温度データ可変設定部４６を設け、この温度データ可変設定部４６により、追い焚き循環通路２４の湯水循環流量が多くなるに従ってオフ温度とオン温度を高める方向に可変設定するので、追い焚き循環通路２４の湯水循環流量が多く、給湯熱交換器３の滞留湯の熱を多く奪えるために、オフ温度及びオフ温度がそれほど低くなくとも高温出湯のおそれがない場合には、オフ温度とオン温度を高めることにより、その分だけバーナー燃焼をより多く（バーナー燃焼の継続時間を長く、バーナー燃焼停止時間を短く）することが可能となり、しかも、追い焚き循環通路２４を循環する湯水循環流量が多いことから、浴槽２２の湯水温が設定温度に達するまでに要する沸きあがり時間の短縮化を図ることができる。
【００６１】
また、その逆に、追い焚き循環通路２４の湯水循環流量が少なく、追い焚き循環通路２４の湯水循環流量が多い時に比べてバーナー２の燃焼継続時間を短くしなければ、追い焚き単独運転中に給湯熱交換器３の滞留湯温が沸騰に近い状態になりそうなときには、上記オン温度とオフ温度を低くすることにより、バーナー２の燃焼継続時間を短くして給湯熱交換器３の滞留湯が沸騰に近い状態になるのを防止することができ、このことから、追い焚き単独運転に起因した高温給湯を確実に回避することができる。
【００６２】
さらに、給湯器において、給湯側の初期出湯時の湯温の安定化を行うための燃焼制御方法として、給湯器の燃焼停止ごとにその燃焼停止の前の給湯動作条件から給湯熱交換器３の湯の後沸き量を求め、この後沸きの湯温が設定温度の下限温度範囲内に定めた下限動作温度となるときから、給湯熱交換器内の湯温を設定温度の上限設定温度内に定めた加熱上限温度に上昇させるのに必要なバックアップ熱量を補充するための間欠燃焼を行う燃焼制御方法を、本出願人は特願平４−３４３１８２号に提案しているが、この燃焼制御方法を一缶二水路風呂給湯器に適用させた場合にも、上記間欠燃焼を、追い焚き循環通路２４の湯水循環流量が０（ゼロ）の追い焚き単独運転とすることにより、前記オン温度、オフ温度の可変制御データを用いてバーナー２の燃焼運転制御を行うことができる。このようにすると、間欠燃焼を行うための燃焼プログラムを簡略化することができる。
【００６３】
さらに、この実施形態例のように、追い焚き循環通路２４に循環流動センサ３９を設けることにより、循環流量センサ３９によって検出される流量と水量センサ３１によって検出される流量とに基づき、追い焚き循環通路２４の戻り管２１を通って浴槽２２に出湯される湯水の流量と往きの管路２３を通って浴槽２２に出湯される湯水の流量を知ることができる。従って、例えば、図３の鎖線に示すように、追い焚き熱交湯温センサ１７を設けることにより、浴槽２２に出湯される湯水の出湯温度を正確に知ることができる。
【００６４】
以下に、第２の実施形態例を説明する。この実施形態例において特徴的なことは、追い焚き単独運転中に追い焚き単独運転燃焼制御部４５がバーナー２の燃焼をオン・オフするのではなく、バーナー２の燃焼能力を高低させるオン・オフ制御を行うことである。それ以外の構成は前記第１の実施形態例と同様であり、その共通部分の重複説明は省略する。
【００６５】
追い焚き単独運転燃焼制御部４５は、前記第１の実施形態例と同様に、給湯熱交湯温センサ３３のセンサ出力と、データ格納部４４のオン温度およびオフ温度と、追い焚き単独運転監視部４３の監視情報とを取り込み、時々刻々と取り込まれる給湯熱交換器３の湯温を前記オフ温度に比較し、追い焚き単独運転監視部４３の監視情報に基づき追い焚き単独運転中であると検知しているときに、上記給湯熱交換器３の湯温がオフ温度以上であると判断したときには、給湯熱交換器３の滞留湯が沸騰に近い状態で高温給湯の虞があるので給湯熱交換器３の滞留湯温を低下させるためにバーナー２の燃焼能力を低下させる必要があると判断し、バーナー２の燃焼能力を予め定めた燃焼能力（例えば、予め定まる最小燃焼能力）となるように、比例弁１２の開弁量を制御して燃焼能力を低下させる。
【００６６】
この燃料能力低下期間に、燃焼能力低下によって給湯熱交換器３の燃焼加熱が抑制され、給湯熱交換器３の滞留湯湯温が低下し、給湯熱交換器３の滞留湯が沸騰状態に近くなるのを回避することができる。このことにより、追い焚き単独運転に起因した高温出湯を回避することができる。
【００６７】
追い焚き単独運転燃焼制御部４５は、上記燃焼能力低下期間に、時々刻々と取り込まれる給湯熱交換器３の出側の湯温をオン温度に比較し、給湯熱交換器３の出側の湯温がオン温度以下に低下したと判断したときに、給湯熱交換器３の滞留湯温が低下し、追い焚き単独運転に起因した高温出湯の虞がなくなったと判断し、バーナー２の燃焼能力を予め定めた燃焼能力（例えば、予め定める最大燃焼能力）となるように、比例弁１２の開弁量を制御して燃焼能力を増加させる。
【００６８】
上記のように、追い焚き単独運転中に追い焚き単独運転燃焼制御部４５がバーナー２の燃焼能力のオン・オフ制御を行うことによって、前記第１の実施形態例と同様に、追い焚き単独運転に起因して給湯熱交換器３の滞留湯が沸騰状態に近くなるのを回避することができる。
【００６９】
この実施形態例によれば、追い焚き単独運転中に、追い焚き単独運転燃焼制御部４５が燃焼能力のオン・オフ制御を行うことにより、前記第１の実施形態例と同様に、追い焚き単独運転に起因して給湯熱交換器３の滞留湯が沸騰に近い状態になるのを回避することができ、このことによって、追い焚き単独運転に起因した高温出湯を回避することができる。
【００７０】
また、追い焚き単独運転中に燃焼能力を低下させ給湯熱交換器３の滞留湯温を低下させるので、追い焚き単独運転中にバーナー２の燃焼をオフする場合に比べて、燃焼を停止しない分、より早く浴槽２２の湯を沸き上がらせることができ、風呂の沸き上がり時間の短縮を図ることができる。
【００７１】
その上、この実施形態例においても、前記第１の実施形態例と同様に、温度データ可変設定部４６が設けられ、追い焚き循環通路２４の湯水循環流量が多くなるに従ってオン温度とオフ温度を高める方向に可変設定するので、追い焚き循環通路２４の湯水循環流量が多いときには高めの燃焼能力でバーナー２の燃焼を行う時間を長くし、風呂の沸き上がり時間をより一層短縮化することができるし、追い焚き循環通路２４の湯水循環流量が少ないときには、高めの燃焼能力でバーナー２の燃焼を行う時間を短くすることで、前記高温出湯のおそれを確実に回避することができる。
【００７２】
なお、この発明は上記各実施形態例に限定されるものではなく、様々な実施の形態を採り得る。例えば、上記各実施形態例では、オフ温度可変制御データとオン温度可変制御データは、グラフデータや表データにより構成されていたが、オフ温度可変制御データとオン温度可変制御データのうちの一方又は両方は、追い焚き循環通路２４の湯水循環流量（Ｑf）をパラメータにしてオフ温度（Ｔoff）、オン温度（Ｔon）を算出するための、Ｔoff＝ｆ1（Ｑf）やＴon＝ｆ2（Ｑf）等の演算式データにより構成してもよい。このように、オフ温度可変制御データやオン温度可変制御データが演算式データにより構成される場合には、オン・オフ温度検出部５０は、検出された追い焚き循環通路２４の湯水循環流量と上記演算式データに基づいて、オフ温度、オン温度を演算算出する。
【００７３】
また、上記各実施形態例では、オン温度はオフ温度に対する温度低下分が一定であったが、追い焚き循環通路２４の湯水循環流量の変動によって追い焚き単独運転のバーナー燃焼による給湯熱交換器３の滞留湯の温度上昇傾向が変動する場合には、上記滞留湯の温度上昇傾向の変動を考慮して、オフ温度に対するオン温度の温度低下分を可変してもよい。
【００７４】
さらに、上記各実施形態例では、追い焚き循環通路の湯水循環流量が多くなるに従ってオフ温度とオン温度の両方を可変設定していたが、図４の（ａ）や（ｂ）の実線Ｆに示すように、オン温度は固定値としてもよく、オフ温度のみを追い焚き循環通路の湯水循環流量に応じて可変設定するようにしてもよい。この場合にも、オフ温度可変制御データを、追い焚き循環通路２４の湯水循環流量（Ｑf）をパラメータとした、Ｔoff＝ｆ1（Ｑf）等の演算式データにより構成してもよい。このようにした場合にも、上記各実施形態例と同様の効果を奏することができる。
【００７５】
さらに、上記各実施形態例では、追い焚き循環通路の湯水循環流量が多くなるに従って、オフ温度とオン温度の両方を可変設定していたが、例えば、図５の（ａ）や（b）の実線Ｇに示すように、オフ温度は固定値としてもよく、オン温度のみを追い焚き循環通路の湯水循環流量に応じて可変設定するようにしてもよい。また、このように、オフ温度は固定値として、オン温度のみを可変設定する場合にも、オン温度可変制御データを、追い焚き循環通路２４の湯水循環流量（Ｑf）をパラメターとした、Ｔon＝ｆ2（Ｑf）などの演算式データにより構成してもよい。このようにした場合にも、上記各実施形態例と同様の効果を奏することができる。
【００７６】
さらに、上記各形態例では、追い焚き循環通路２４の湯水循環流量に応じてオン温度やオフ温度を可変設定するようにしたが、図１の鎖線に示すように、風呂温度センサ３７による追い焚き循環通路２４の循環湯水温の検出温度をサンプリング部４８によって取り込み、以下に述べるように、オン温度やオフ温度を追い焚き循環通路２４の湯水循環流量と追い焚き循環通路２４の循環湯水温と、オン温度設定データ、オフ温度設定データに基づいて可変設定するようにしてもよい。
【００７７】
例えば、オフ温度設定データやオン温度設定データは以下の様にして設定される。追い焚き単独運転中に給湯熱交換器３のピーク温度領域の滞留湯が沸騰に近い状態であることを示す予め定めた湯温になったときに給湯熱交湯温センサ３３により検出される湯温を、追い焚き循環通路２４の湯水循環流量と循環湯水温ごとに実験や演算などによりもとめ、その求めた湯温をオフ温度として、追い焚き循環通路２４の湯水循環流量及び湯温に対応させた図６の（ａ）の実線Ａ1，Ａ2，Ａ3や同図の（ｂ）の実線Ｃ1，Ｃ2に示すようなグラフデータや、表データのデータ形式で設定し、データ格納部４４に格納する。また、これらのオフ温度よりも予め定めた温度だけ低い湯温を求め、この求めた湯温をオン温度として追い焚き循環通路２４の湯水循環流量及び湯温に対応させた、図６の（ａ）の実線Ｂ1，Ｂ2，Ｂ3や同図の（ｂ）に示す実線Ｄ1，Ｄ2に示すようなグラフデータや、表データのデータ形式で設定し、データ格納部４４に格納する。
【００７８】
そして、温度データ可変設定部４６は、循環流量センサ３９により検出される追い焚き循環通路２４の湯水循環流量と風呂温度センサ３７により検出される追い焚き循環通路２４の湯水温と上記オフ温度設定データとオン温度設定データとに基づきオフ温度とオン温度を可変設定するようにしてもよい。
【００７９】
このように、オン温度とオフ温度とを、追い焚き循環通路２４の湯水循環流量と湯水温とオン温度設定データとオフ温度設定データとに基づき可変設定する構成とすれば、本出願人が先に出願している特願平９−１０６７７０５（未だ公開にはなっていない）に提案したように、追い焚き循環通路２４の循環湯水温の変動に起因した給湯熱交換器３の湯温に対する給湯熱交湯温センサ３３が検出する湯温の低下差分の変動を考慮して、オン温度、オフ温度を可変設定することができるために、追い焚き循環通路２４湯水温の変動を考慮せずに、オン温度とオフ温度を設定する場合に比べて、より一層風呂の沸きあがり時間の短縮をはかることができる。
【００８０】
また、例えば、図７の（ａ）や（ｂ）の実線Ｆに示すように、オン温度は固定値として、オフ温度のみを追い焚き循環通路の湯水循環流量と湯温の両方に応じて可変設定するオフ温度設定データを与え、オフ温度のみを追い焚き循環通路２４の湯水循環流量と湯水温とオフ温度設定データとに基づき可変設定するようにしてもよい。この場合にも、上記と同様の効果を奏することができる。
【００８１】
さらに、例えば、図８の（ａ）や（ｂ）の実線Ｇ示すように、オフ温度は固定値として、オン温度のみを追い焚き循環通路２４の湯水循環流量と湯水温に応じて可変設定するオン温度設定データを与え、追い焚き循環通路２４の湯水循環流量と湯水温とオン温度設定データとに基づき、オン温度を可変設定するようにしてもよい。この場合にも、上記と同様の効果を奏することができる。
【００８２】
さらに、上記のようなオフ温度設定データやオン温度設定データは、グラフデータや表データの代わりに、追い焚き循環通路２４の湯水循環流量（Ｑf）と湯水温（Ｔf）をパラメータとした、Ｔoff＝ｆ3（Ｑf・Ｔf）、Ｔon＝ｆ4（Ｑf・Ｔf）などの演算式データにより構成してもよい。
【００８３】
さらに、オン温度とオフ温度のいずれか一方のみを、追い焚き循環通路２４の湯水循環流量と湯水温をパラメータとしたオン温度またはオフ温度設定データとして与え、他方側を、追い焚き循環通路２４の湯水循環流量をパラメータとしたグラフデータ、表データ、演算式データなどのオン温度またはオフ温度可変制御データにより与え、これらのデータと追い焚き循環通路２４の湯水循環流量と湯水温とに基づいてオン温度とオフ温度を可変設定するようにしてもよい。この場合にも、上記実施形態例と同様の効果を奏することができる。
【００８４】
さらに、上記各実施形態例では、給湯熱交湯温センサ３３は給湯熱交換器３の出側に設けられていたが、図３の点線に示すように、給湯熱交換器３のＵ字管に設けるようにしてもよい。
【００８５】
さらに、上記各実施形態例では、給湯熱交換器３の湯温を給湯熱交湯温センサ３３から直接的に検出していたが、上記給湯熱交換器３の湯温は排気温度に基づき間接的に検出することが可能であることから、排気温度と給湯熱交換器３の湯温との関係データを予め実験や演算等により求めて与えておき、その関係データと排気温度によって給湯熱交換器３の湯温を間接的に検出する給湯熱交換器湯温検出手段を設けるようにしてもよい。より望ましくは、上記関係データと排気温度に基づき検出した給湯熱交換器湯温を、風呂温度センサ３７により検出される追い焚き循環通路の湯温や、予め定まる追い焚き循環湯量や、給気温度を考慮して補正することによって、より正確な給湯熱交換器３の湯温を検出することが可能である。
【００８６】
さらに、上記各実施形態例では、温度データ可変設定部４６は、追い焚き単独運転が行われている期間のみ、オン温度とオフ温度の可変設定動作を行っていたが、温度データ可変設定部４６は、追い焚き単独運転が行われていないときにも、オン温度とオフ温度の可変制御を行ってもよい。
【００８７】
さらに、上記各実施形態例は図３に示す一缶二水路風呂給湯器を例にして説明したが、一缶二水路タイプで、追い焚き循環通路の湯水循環流量を検出することができる循環湯水流量検出手段と、給湯熱交換器の湯温を検出する給湯熱交換器湯温検出手段とが設けられ、給湯機能と追い焚き機能を備えている一缶二水路風呂給湯器であれば、この発明を適用することができる。
【００８８】
【発明の効果】
この発明によれば、追い焚き単独運転中に、給湯熱交換器の湯温がオフ温度以上になったときに、バーナーの燃焼を停止させる、又は、バーナーの燃焼能力を低下させ、上記給湯熱交換器の湯温がオン温度以下に低下したときにはバーナーの燃焼を再開させる、又は、バーナーの燃焼能力を増加させる追い焚き単独運転燃焼制御機能を備えた一缶二水路風呂給湯器に温度データ可変設定部を設け、該温度データ可変設定部により、追い焚き循環通路の湯水循環流量が多くなるに従ってオン温度とオフ温度の両方、又は一方を高める方向に可変設定するので、例えば、追い焚き循環通路の湯水循環流量が多いために、前記オン温度やオフ温度をそれほど低く設定しなくても給湯熱交換器の滞留湯が沸騰に近い温度となって給湯側の高温出湯につながるおそれがないときには、オン温度とオフ温度の両方、または一方を高めに設定してバーナー燃焼を行うことにより、バーナー燃焼の継続時間または高い燃焼能力でのバーナー燃焼時間を長くすることができる。
【００８９】
このことから、追い焚循環通路の湯水温の変動に拘らずオン温度とオフ温度の両方を一定に設定していた場合に比べて、追い焚き単独運転中のバーナーの燃焼停止期間、又は、燃焼能力の低下期間が短くなって、このことにより、風呂の沸き上がり時間の短縮を図ることができる。また、追い焚き循環通路の湯水循環流量が少ない時には、給湯熱交換器の滞留湯が高くなりやすいが、この時には、前記オン温度とオフ温度の両方又は一方を低めに設定することにより、バーナーの燃焼停止期間または、燃焼能力の低下期間が長くなるために、給湯熱交換器の滞留湯の沸騰を防止することが可能となり、それに伴う高温出湯のおそれを回避することができる。
【００９０】
また、オン温度、オフ温度を自動的に演算算出するものにあっては、演算式データで構成されたオン温度可変制御データ、オフ温度可変制御データの予め定められた位置に追い焚き循環通路の湯水循環流量を代入して上記演算式に従って演算するだけで、自動的に簡単にオン温度、オフ温度を算出することができる。
【００９１】
さらに、オン温度やオフ温度を追い焚き循環通路の湯水循環流量に加えて、追い焚き循環通路の湯水温をパラメータとした設定データによって与え、追い焚き循環通路の湯水循環流量と湯水温と設定データとに基づきオン温度やオフ温度を可変設定するものにあっては、追い焚き循環通路の湯水循環流量の変動にあわせてバーナーの燃焼制御を行うことに加えて、追い焚き循環通路の循環湯水温の変動に起因した給湯熱交換器の湯温に対する給湯熱交換器湯温検出手段が検出する湯温の低下差分の変動を考慮して、オン温度やオフ温度を可変設定することができるために、追い焚き循環通路の循環湯水温の変動に対応させて追い焚き単独運転中のバーナーの燃焼停止期間、または、燃焼停止期間の低下期間を適切に変えることが可能となり、このことにより、より一層風呂の沸き上がりの時間の短縮を図ることができる。
【図面の簡単な説明】
【図１】この発明に係る実施形態例において特徴的な制御構成を示すブロック構成図である。
【図２】オン温度可変制御データとオフ温度可変制御データの一例を示すグラフである。
【図３】この発明に係る実施形態例の一缶二水路風呂給湯器のモデル例を示すシステム構成である。
【図４】オフ温度可変制御データとオン温度固定データの一例を示すグラフである。
【図５】オン温度可変制御データとオフ温度固定データの一例を示すグラフである。
【図６】オン温度設定データとオフ温度設定データの一例を示すグラフである。
【図７】オフ温度設定データとオン温度固定データの一例を示すグラフである。
【図８】オン温度設定データとオフ温度固定データの一例を示すグラフである。
【図９】本出願人が先に提案している一缶二水路風呂給湯器のモデル例を示す説明図である。
【図１０】本出願人が先に提案している一缶二水路風呂給湯器におけるバーナ燃焼のオン・オフ制御の一例を示すグラフである。
【符号の説明】
２  バーナー
３  給湯熱交換器
４  追い焚き熱交換器
１３  給水通路
１４  給湯通路
２４  追い焚き循環通路
３３  給湯熱交湯温センサ
３７  風呂温度センサ
３９  循環流量センサ
４６  温度データ可変設定部
５０  オン・オフ温度検出部
【図１】
0003822721.tif 000002
【図２】
0003822721.tif 000003
【図３】
0003822721.tif 000004
【図４】
0003822721.tif 000005
【図５】
0003822721.tif 000006
【図６】
0003822721.tif 000007
【図７】
0003822721.tif 000008
【図８】
0003822721.tif 000009
【図１０】
0003822721.tif 000010
【図９】
0003822721.tif 000011